【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
符号化対象のブロックにおけるルマ成分の量子化パラメータに基づいて、前記符号化対象のブロックにおけるクロマ成分の量子化パラメータを決定する決定処理を行う決定手段と
少なくとも前記決定手段によって決定された量子化パラメータを用いて、前記符号化対象のブロックを符号化する符号化手段と
を有し、
前記決定手段は、カラーフォーマットが４：２：２の場合と、カラーフォーマットが４：４：４の場合とで、共通の方法を用いて、前記決定処理を行う
ことを特徴とする符号化装置。
【請求項２】
前記共通の方法は、前記ルマ成分の量子化パラメータから中間量子化パラメータを決定し、前記中間量子化パラメータの値又は所定の値から前記クロマ成分の量子化パラメータを決定する方法である
ことを特徴とする請求項１記載の符号化装置。
【請求項３】
前記所定の値は５１である
ことを特徴とする請求項２記載の符号化装置。
【請求項４】
前記共通の方法は、前記中間量子化パラメータの値に応じて当該中間量子化パラメータの値又は所定の値のいずれかの値を選択し、その選択した値から前記クロマ成分の量子化パラメータを決定する方法である
ことを特徴とする請求項２又は３に記載の符号化装置。
【請求項５】
前記クロマ成分の量子化パラメータは、前記中間量子化パラメータであるＱＰＩと、前記クロマ成分の量子化パラメータに対応するＱＰＣとの関係を下記のように規定する関数を用いて決定される
【表１】
2016518762.tif 000001
ことを特徴とする請求項２〜４のいずれか１項に記載の符号化装置。
【請求項６】
前記中間量子化パラメータであるＱＰＩの値は、下記の式を用いて導出され、
ＱＰＩ＝ＭＡＸ（−ＱＰＢｄＯｆｆｓｅｔＣ，ＭＩＮ（５７，ＱＰＹ＋ＱＰＯｆｆｓｅｔＣ））
ここで、
ＱＰＢｄＯｆｆｓｅｔＣは、前記クロマ成分のためのビット深度に応じたオフセットであり、
ＱＰＹは、前記ルマ色成分の量子化パラメータの値であり、
ＱＰＣは、前記クロマ成分の量子化パラメータに対応する値であり、
ＱＰＯｆｆｓｅｔＣは、ＱＰＣとＱＰＹとを相対的にオフセットさせるための値であることを特徴とする請求項２〜５のいずれか１項に記載の符号化装置。
【請求項７】
前記符号化手段は、前記共通の方法を用いることを示す情報を、シーケンスパラメータセットまたはピクチャパラメータセットにおいて符号化する
ことを特徴とする請求項１〜６のいずれか１項に記載の符号化装置。
【請求項８】
前記決定手段は、カラーフォーマットが４：２：０の場合、前記共通の方法とは異なる方法を用いて、前記決定処理を行う
ことを特徴とする請求項１〜７のいずれか１項に記載の符号化装置。
【請求項９】
復号対象のブロックにおけるルマ成分の量子化パラメータに基づいて、前記復号対象のブロックにおけるクロマ成分の量子化パラメータを導出する導出処理を行う導出手段と
少なくとも前記導出手段によって導出された量子化パラメータを用いて、前記復号対象のブロックを復号する復号手段と
を有し、
前記導出手段は、カラーフォーマットが４：２：２の場合と、カラーフォーマットが４：４：４の場合とで、共通の方法を用いて、前記導出処理を行う
ことを特徴とする復号装置。
【請求項１０】
前記共通の方法は、前記ルマ成分の量子化パラメータから中間量子化パラメータを導出し、前記中間量子化パラメータの値又は所定の値から前記クロマ成分の量子化パラメータを導出する方法である
ことを特徴とする請求項９記載の復号装置。
【請求項１１】
前記所定の値は５１である
ことを特徴とする請求項１０記載の復号装置。
【請求項１２】
前記共通の方法は、前記中間量子化パラメータの値に応じて当該中間量子化パラメータの値又は所定の値のいずれかの値を選択し、その選択した値から前記クロマ成分の量子化パラメータを導出する方法である
ことを特徴とする請求項１０又は１１に記載の復号装置。
【請求項１３】
前記クロマ成分の量子化パラメータは、前記中間量子化パラメータであるＱＰＩと、前記クロマ成分の量子化パラメータに対応するＱＰＣとの関係を下記のように規定する関数を用いて導出される
【表２】
2016518762.tif 000002
ことを特徴とする請求項１０〜１２のいずれか１項に記載の復号装置。
【請求項１４】
前記中間量子化パラメータであるＱＰＩの値は、下記の式を用いて計算され、
ＱＰＩ＝ＭＡＸ（−ＱＰＢｄＯｆｆｓｅｔＣ，ＭＩＮ（５７，ＱＰＹ＋ＱＰＯｆｆｓｅｔＣ））
ここで、
ＱＰＢｄＯｆｆｓｅｔＣは、前記クロマ成分のためのビット深度に応じたオフセットであり、
ＱＰＹは、前記ルマ色成分の量子化パラメータの値であり、
ＱＰＣは、前記クロマ成分の量子化パラメータに対応する値であり、
ＱＰＯｆｆｓｅｔＣは、ＱＰＣとＱＰＹとを相対的にオフセットさせるための値であることを特徴とする請求項１０〜１３のいずれか１項に記載の復号装置。
【請求項１５】
前記復号手段は、前記共通の方法を用いることを示す情報を、シーケンスパラメータセットまたはピクチャパラメータセットから復号する
ことを特徴とする請求項９〜１４のいずれか１項に記載の復号装置。
【請求項１６】
前記導出手段は、カラーフォーマットが４：２：０の場合、前記共通の方法とは異なる方法を用いて、前記導出処理を行う
ことを特徴とする請求項９〜１５のいずれか１項に記載の復号装置。
【請求項１７】
符号化対象のブロックにおけるルマ成分の量子化パラメータに基づいて、前記符号化対象のブロックにおけるクロマ成分の量子化パラメータを決定する決定処理を行う決定工程と
少なくとも前記決定工程によって決定された量子化パラメータを用いて、前記符号化対象のブロックを符号化する符号化工程と
を有し、
前記決定工程において、カラーフォーマットが４：２：２の場合と、カラーフォーマットが４：４：４の場合とで、共通の方法を用いて、前記決定処理を行う
ことを特徴とする符号化方法。
【請求項１８】
復号対象のブロックにおけるルマ成分の量子化パラメータに基づいて、前記復号対象のブロックにおけるクロマ成分の量子化パラメータを導出する導出処理を行う導出工程と
少なくとも前記導出工程によって導出された量子化パラメータを用いて、前記復号対象のブロックを復号する復号工程と
を有し、
前記導出工程において、カラーフォーマットが４：２：２の場合と、カラーフォーマットが４：４：４の場合とで、共通の方法を用いて、前記導出処理を行う
ことを特徴とする復号方法。
【請求項１９】
請求項１〜８のいずれか１項に記載の符号化装置の各手段としてコンピュータを機能させることを特徴とするプログラム。
【請求項２０】
請求項９〜１６のいずれか１項に記載の復号装置の各手段としてコンピュータを機能させることを特徴とするプログラム。
【手続補正２】
【補正対象書類名】明細書
【補正対象項目名】発明の名称
【補正方法】変更
【補正の内容】
【発明の名称】符号化装置、復号装置、符号化方法、復号方法、及びプログラム
【手続補正３】
【補正対象書類名】明細書
【補正対象項目名】００１４
【補正方法】変更
【補正の内容】
【００１４】
上記課題の１つ又は複数を解決するために、例えば以下の構成を有する。
符号化対象のブロックにおけるルマ成分の量子化パラメータに基づいて、前記符号化対象のブロックにおけるクロマ成分の量子化パラメータを決定する決定処理を行う決定手段と少なくとも前記決定手段によって決定された量子化パラメータを用いて、前記符号化対象のブロックを符号化する符号化手段とを有し、前記決定手段は、カラーフォーマットが４：２：２の場合と、カラーフォーマットが４：４：４の場合とで、共通の方法を用いて、前記決定処理を行う。
また、復号対象のブロックにおけるルマ成分の量子化パラメータに基づいて、前記復号対象のブロックにおけるクロマ成分の量子化パラメータを導出する導出処理を行う導出手段と少なくとも前記導出手段によって導出された量子化パラメータを用いて、前記復号対象のブロックを復号する復号手段とを有し、前記導出手段は、カラーフォーマットが４：２：２の場合と、カラーフォーマットが４：４：４の場合とで、共通の方法を用いて、前記導出処理を行う。
この文脈および本発明の第１の態様によれば、複数の可能なカラーフォーマットのうちの現在のカラーフォーマットを用いて、画像または画像部分の少なくとも１つの第２の色成分の量子化パラメータの値を決定する方法であって、方法が、
−可能なカラーフォーマットに関連付けられた少なくとも１つの関数を選択するステップと、
−前記少なくとも１つの関数を中間量子化パラメータの値に適用することによって、第２の色成分の量子化パラメータの値を決定するステップであり、中間量子化パラメータが画像または画像部分の第１の色成分の量子化パラメータの値に基づく、ステップとを含み、
少なくとも１つの関数が現在のカラーフォーマットから独立して選択される、方法が提供される。